(57)【要約】【課題】イオン導入による効率的なトリートメントを図ると共に、十分な変位の振動を確保して所望の美肌効果を達し、装置の小型化及びデザインの自由度の向上を図ったうえでコストを低く抑えて経済的に有利となりうる超音波美容器を提供することを目的とする。【解決手段】ハンディタイプの絶縁ケース（２１）の内部に金属製の弾性振動板（２０）の基幹部を収容し、このケースより露出した前記弾性振動板の両側縁を弧状に広く張り出してイオン導入部（２００）となすと共に、このイオン導入部の先端を反曲して超音波振動部（２０２）となし、弾性振動板の基幹部には超音波振動子（２５）を取り付け、更にケースの外側に配した電極片（２２）と前記弾性振動板とをケースに内蔵のイオン電流出力回路（４８）に接続した。【選択図】図１
2008264470.tif 000002
【特許請求の範囲】
【請求項１】
ハンディタイプの絶縁ケースの内部に金属製の弾性振動板の基幹部を収容し、このケースより露出した前記弾性振動板の両側縁を弧状に広く張り出してイオン導入部となすと共に、このイオン導入部の先端を反曲して超音波振動部となし、
弾性振動板の基幹部には超音波振動子を取り付け、更にケースの外側に配した電極片と前記弾性振動板とをケースに内蔵のイオン電流出力回路に接続して成る超音波美容器。
【請求項２】
前記超音波振動子に、前記イオン電流出力回路とは独立に駆動される振動電源回路を接続したことを特徴とする請求項１記載の超音波美容器。
【請求項３】
前記振動電源回路は、出力される電流の発信周波数を調整する可変抵抗器を備えることを特徴とする請求項２記載の超音波美容器。
【請求項４】
前記基幹部に、一つの超音波振動子を取り付けることを特徴とする請求項１記載の超音波美容器。
【請求項５】
前記基幹部に、長方形の超音波振動子を取り付けることを特徴とする請求項１記載の超音波美容器。
【請求項６】
前記弾性振動板の厚みを、０．４ｍｍ乃至０．６ｍｍに形成したことを特徴とする請求項１記載の超音波美容器。
【請求項７】
前記弾性振動板に、ゲルマニウムのメッキ加工をしたことを特徴とする請求項１記載の超音波美容器。
【請求項８】
前記弾性振動板に穴を形成し、この穴にゲルマニウムチップを固着したことを特徴とする請求項１記載の超音波美容器。
【発明の詳細な説明】
【技術分野】
【０００１】
本発明は、超音波を利用した超音波美容器に関する。
【背景技術】
【０００２】
従来より老化した角質を化学的あるいは機械的に除去する、いわゆるピーリングという肌のトリートメントが知られている。機械的な方法によりピーリングを行う装置として特許文献１が知られている。
【０００３】
特許文献１に記載の超音波美容装置は、振動板に複数個の超音波振動子を取り付けてなるプローブを有しており、この超音波振動子により振動板を振動させ、この振動板のイオン導入部を肌にあててピーリングやタッピングなどの美肌トリートメントを行うものである。また、この振動板は金属製で、脈動電流を印加することができるようになっており、プローブに設けた手元電極と振動板とを肌に当てることによりイオン導入のトリートメントを行える。
【０００４】
このようなトリートメントを行うためには振動板の先端を十分な変位で振動させる必要がある。必要な振動を得るためには、超音波素子に大きな電力を加える必要があるが、大きな電力を加えると振動子が発熱して時間の経過とともに振動が弱くなり、振動板の十分な振動が得られなくなるうえに発熱によりプローブ全体が熱をもつという問題がある。
【０００５】
特許文献１記載の超音波美容装置では、複数個の超音波振動子を振動板に取り付けて所望の変位の振動を得ると共に放熱作用を向上させる構成となっているが、振動子の配置スペースの関係からプローブが大きくなると共に小型化などデザインの自由度にも限界があった。また、複数個の超音波振動子を使用していることにより、回路が複雑になるため電源や回路の配置スペースの関係から本体部が大きくなると共に製造コストの増加を招くという問題もあった。
【０００６】
また、イオン導入のトリートメントを行う場合、振動板のイオン導入部は肌にあたる面積が小さいため効率的なトリートメントができなかった。
【特許文献１】ＷＯ９８／４８７６４
【発明の開示】
【発明が解決しようとする課題】
【０００７】
本発明は、イオン導入による効率的なトリートメントを実現し得ると共に、十分な変位の振動を確保しつつ熱の発生を抑えて所望の美肌効果を達し、装置の小型化及びデザインの自由度の向上を図ったうえでコストを低く抑えて経済的に有利となりうる超音波美容器を提供することを目的とする。
【課題を解決するための手段】
【０００８】
前記課題を解決するために、本発明は、ハンディタイプの絶縁ケースの内部に金属製の弾性振動板の基幹部を収容し、このケースより露出した前記弾性振動板の両側縁を弧状に広く張り出してイオン導入部となすと共に、このイオン導入部の先端を反曲して超音波振動部となし、弾性振動板の基幹部には超音波振動子を取り付け、更にケースの外側に配した電極片と前記弾性振動板とをケースに内蔵のイオン電流出力回路に接続したことを最も主要な特徴とする。
【発明の効果】
【０００９】
金属製の弾性振動板の基幹部をハンディタイプの絶縁ケースの内部に収容し、このケースより露出した弾性振動板の両側縁を弧状に広く張り出してイオン導入部となすと共に、ケースの外側に配した電極片と弾性振動板とをケースに内蔵のイオン電流出力回路に接続したことにより、弾性振動板の皮膚に当接可能な面積が広くなって効率的にイオン導入によるトリートメントを行うことができると共に、この張り出した側縁が腕や首などの身体の各部にも接触させやすく適切なトリートメントすることができる。
【発明を実施するための最良の形態】
【００１０】
本発明に係る超音波美容器の実施形態について、図１乃至図４を参照して説明する。図１は本発明に係る超音波美容器の全体斜視図である。
【００１１】
超音波美容器１は、皮膚に適用するためのハンディタイプのプローブ２と、電源や発信回路などを内蔵する美容器本体３とにより構成される。
【００１２】
美容器本体３は、電源のオンオフを行う電源ボタン３１、及び、プローブの動作状態を選択及び決定する操作ボタン３２、３３からなる操作部３０と、プローブ２を収納しておける凹状の収納部３４とを有している。
【００１３】
プローブ２は、先端を皮膚に接触させる金属製の弾性振動板２０と、この弾性振動板２０の基幹部を収容するハンディタイプの絶縁性のケース２１と、このケース２１に設けた電極片２２とからなる。このプローブ２と美容器本体３とはリード線３５により接続する。
【００１４】
次に、図２及び図３を参照してプローブについて説明する。図２は振動板の正面図であり、図３はプローブの側面断面図である。
【００１５】
弾性振動板２０は略長四角形で、皮膚に当接させるイオン導入部２００をケース２１よりも突き出している。このイオン導入部２００の先端を１０°乃至２０°程度折り曲げて超音波振動部２０２を形成する。また、イオン導入部２００の側縁を外向きに弓なりに湾曲させて弾性振動板２０の板面積を大きく形成する。
【００１６】
このイオン導入部２００には、ゲルマニウムを練り込んだゲルマニウムチップ２８を取り付ける。ゲルマニウムチップ２８は、弾性振動板２０に形成した穴に埋め込んで固着する。超音波振動によりこのゲルマニウムチップ２８が温められ、所定温度に達したとき、ゲルマニウムチップ２８のゲルマニウムよりマイナスイオンが発生する。
【００１７】
この弾性振動板２０は、厚さが０．４ｍｍ乃至０．６ｍｍ程度のステンレス板により形成すると好適な弾性と振動が得られる。薄すぎると強度の点で不都合が生じると共に、厚すぎると超音波振動子による充分な振幅の振動が得られない。この弾性振動板２０と、ケース２１に設けた電極片２２とはイオン電流出力回路４８を介して電気的に接続する。
【００１８】
この弾性振動板２０の片側面にアルミニウム板２３を取り付け、さらにプリント基板２４と超音波振動子２５とを順に取り付ける。このアルミニウム板２３と、プリント基板２４と、超音波振動子２５とは接着剤などにより互いに強固に接着する。
【００１９】
超音波振動子２５は、弾性振動板２０の形状に合った方形のものを使用することにより十分な接触面積を確保し、弾性振動板２０に十分な振動エネルギーが伝わるように構成する。この超音波振動子２５には、美容器本体３に内蔵する電源回路４１より、リード線３５を介して交流電圧を印加する。
【００２０】
図３に示すように、この弾性振動板２０は、超音波振動子２５などを貼り付けた部分をケース２１内に収納して、ゴムなどからなる弾性保持体２６、２７を用いて固定される。この弾性保持体２６は弾性振動板２０の略中央位置に配置して弾性振動板２０を上下より挟持する。また、弾性保持体２７は弾性振動板２０の後端側左右に形成した切欠部２０１、２０１と係合させる。
【００２１】
弾性振動板２０の略中央部と後端とをそれぞれ弾性保持体２６、２７で挟持固定することにより、超音波振動子２５による振動エネルギーの超音波振動部２０２への伝達を妨げないようにして、この超音波振動部２０２の十分な振動を確保する。
【００２２】
次に図４を参照して、電源や超音波振動子駆動回路、イオン電流出力回路などからなる電源装置について説明する。図４は、電源装置の概略を示す図である。
【００２３】
図４に示すように、電源装置は、アダプタ４０と、電源回路４１と、ＣＰＵ４２と、発信回路４３と、可変抵抗器４４と、超音波振動子駆動回路４５と、トランス４６と、制御回路４７と、イオン電流出力回路４８とにより構成される。
【００２４】
超音波振動子２５へは、発信回路４３、超音波振動子駆動回路４５、トランス４６からなる振動電源回路を介して電源回路４１より電圧が供給される。この電圧の発振周波数は発信回路４３からの発信信号により制御する。この発信回路４３には可変抵抗器４４を取り付けており、この可変抵抗器４４により、発信回路４３の発信周波数が超音波振動子２５の固有振動と合うようにそれぞれの超音波振動子について調整することができる。
【００２５】
また、電源回路４１よりイオン電流出力回路４８を介して弾性振動板２０及び電極片２２へ電圧を供給する。このイオン電流出力回路４８の出力周期は制御回路４７によって調整される。肌に当接させた弾性振動板２０とケース２１の持ち手に接触する電極片２２とに電圧を印加することによりイオン導入トリートメントを行う。
【００２６】
次に、上記のごとく構成した超音波美容器の使用方法及び作用について説明する。
【００２７】
まず美容器本体３の電源ボタン３１により電源をオンし、プローブ２の動作モードを決定する。動作モードには、超音波振動モードとイオン導入モードがある。このモードの選択は操作部３０の操作ボタン３２、３３により行う。
【００２８】
イオン導入モードで使用するときには、プローブ２を持ち、ケース２１の外側に配した電極片２２を持ち手に接触させると共に弾性振動板２０のイオン導入部２００を肌の所望の位置に当てる。これにより、皮膚に微弱な電流を流して皮膚中の水分を電離させることができる。
【００２９】
ピーリングモードで使用するときには、プローブ２を持ち、弾性振動板２０の先端の超音波振動部２０２を肌に当てる。このとき、折り曲げた超音波振動部２０２の先端縁を皮膚に当てることでピーリングトリートメントを行うことができる。また、超音波振動部２０２の腹部を肌に当てることでタッピングトリートメントを行うことができる。
【００３０】
上記のごとく構成した超音波美容器は以下に示す効果を奏する。
【００３１】
弾性振動板のイオン導入部の両側縁を弧状に広く張り出してイオン導入部となしたことにより、皮膚に当接可能な面積が広くなって効率的にイオン導入によるトリートメントを行うことができると共に、弧状に張り出した両側縁の曲線部分を腕や首などの身体の各部にも接触させやすくなり、適切なトリートメントすることができる。
【００３２】
また、弾性振動板に一つの超音波振動子を取り付け、この超音波振動子を駆動する発振回路に可変抵抗器を設けて、この可変抵抗器により発振回路の発振周波数を超音波振動子の固有振動数に一致させることにより、印加電圧に対する超音波振動子の効率化を図って、必要な変位の振動を得ると共に熱の発生を抑えることができ、確実で効率的なトリートメント効果を得ると共に安全に使用することができる。
【００３３】
さらに、部品点数が少なく回路も簡単化されるため、故障の原因を減らすことができると共に、プローブだけでなく超音波美容器全体の小型化を達成できる。
【００３４】
さらに、超音波振動子を一つだけ使用しているためハンディタイプのプローブを小型化及び軽量化することができ、取扱性に優れると共にプローブの薄型化などのデザインの自由度の向上も図ることができる。
【００３５】
さらに、可変抵抗器を設けたことにより、従来は発振周波数と固有振動数が合わないために使用できなかった超音波振動子を無駄なく使用することができるため、不良率が低くなりコストを抑えることができる。また、生産時の発振周波数の微調整が容易となり、生産性の向上を図ることができる。
【００３６】
また、超音波振動子を、弾性振動板の基幹部の形状に合う方形のものを使用することにより、弾性振動板と超音波振動子との十分な接触面積を確保して、振動エネルギーを確実に先端の超音波振動部に伝達することができる。
【００３７】
また、イオン導入のためのイオン電流出力回路と、超音波振動のための超音波振動子駆動回路とを設けたことにより、イオン導入機能と超音波振動機能とをそれぞれ独立して出力することができ、イオン導入の出力と当音波出力とが互いに干渉して満足な超音波出力が得られないなどの不都合を生じることがなく、好適なトリートメントをすることができる。
【００３８】
本実施形態では、皮膚に当接させるイオン導入部にゲルマニウムを練り込んだゲルマニウムチップを設けているが、イオン導入部にゲルマニウムのメッキ加工をする構成としてもよい。
また、振動板の表面のメッキの材質としてプラチナ用いてもよい。プラチナメッキを施すことにより、抗酸化作用による美肌効果を期待できる。
【図面の簡単な説明】
【００３９】
【図１】本発明に係る超音波美容器の全体斜視図である。
【図２】振動板の正面図である。
【図３】超音波美容器のプローブの側面断面図である。
【図４】電源装置の概略図である。
【符号の説明】
【００４０】
１      超音波美容器
２      プローブ
２０    弾性振動板
２００  イオン導入部
２０１  切欠部
２０２  超音波振動部
２１    ケース
２２    電極片
２３    アルミニウム板
２４    プリント基板
２５    超音波振動子
２６、２７  弾性保持体
２８    ゲルマニウムチップ
３      美容器本体
３０    操作部
３１    電源ボタン
３２、３３  操作ボタン
３４    収納部
３５    リード線
４０    アダプター
４１    電源回路
４２    ＣＰＵ
４３    発振回路
４４    可変抵抗器
４５    超音波振動子駆動回路
４６    トランス
４７    制御回路
４８    イオン電流出力回路
【図１】
2008264470.tif 000003
【図２】
2008264470.tif 000004
【図３】
2008264470.tif 000005
【図４】
2008264470.tif 000006